(57)【要約】【課題】様々な種類のボールを上手く発射させることができるボール発射装置を提供すること。【解決手段】本発明は、ボール発射部４０を備えるボール発射装置であって、ボール発射部４０は、ロッド本体４３１と、ロッド本体４３１を回転自在に支持するロッド軸４３６と、ボールＢＬを保持するボール保持部４３２と、ロッド軸４３６を中心にロッド本体４３１を回転させるための力を付与するロッド力付与部４４と、を備え、ロッド本体４３１は、ロッド軸４３６に対して一方の側の第１ロッド部４３１Ａと、ロッド軸４３６に対して他方の側の第２ロッド部４３１Ｂと、を有し、ボール保持部４３２は第１ロッド部４３１Ａの側に設けられており、ロッド力付与部４４は、第２ロッド部４３１Ｂの側に力を付与し、これにより、第１ロッド部４３１Ａがロッド軸４３６を中心に回転してボール保持部４３２に保持されたボールＢＬが発射される。【選択図】図３
2016221286.tif 000002
【特許請求の範囲】
【請求項１】
ボール発射部を備えるボール発射装置であって、
前記ボール発射部は、ロッド本体と、前記ロッド本体を回転自在に支持するロッド軸と、ボールを保持するボール保持部と、前記ロッド軸を中心に前記ロッド本体を回転させるための力を付与するロッド力付与部と、を備え、
前記ロッド本体は、前記ロッド軸に対して一方の側の第１ロッド部と、前記ロッド軸に対して他方の側の第２ロッド部と、を有し、前記ボール保持部は前記第１ロッド部の側に設けられており、
前記ロッド力付与部は、前記第２ロッド部の側に力を付与し、これにより、前記第１ロッド部が前記ロッド軸を中心に回転して前記ボール保持部に保持されたボールが発射される、
ボール発射装置。
【請求項２】
前記第１ロッド部は、ボールの発射時に実質的に撓まない、
請求項１に記載のボール発射装置。
【請求項３】
前記ロッド力付与部により付与される力は、圧縮された力発生部材が反発して伸張する伸張力である、
請求項２に記載のボール発射装置。
【請求項４】
前記力発生部材はコイルバネである、
請求項３に記載のボール発射装置。
【発明の詳細な説明】
【技術分野】
【０００１】
本発明はスポーツ機器分野の技術に関し、特にボール発射装置に関する。
【背景技術】
【０００２】
人々の生活レベルの絶え間ない向上に伴い、健康な身体を有することの重要性を次第に多くの人が認識しており、各種のフィジカルトレーニングも強化されている。したがって、各種球技のマーケットは次第に大きくなっている。プロ選手又はアマチュア愛好家に関わらず、練習時に多くの人がボール発射装置を使用して効率を高めており、練習パートナーがボールを拾い、ボールを投げる労力を軽減し、競技レベルを効率的に向上させることもでき、トレーニングの目的を達成する。
【発明の概要】
【発明が解決しようとする課題】
【０００３】
しかし、既存のボール発射装置は構造が複雑で、操作が不便で、作動が不安定であり、球速が遅く、射程が短いため、練習者の練習に対する様々なニーズを満足させることができず、練習者のトレーニングの効果に影響を及ぼしている。また、従来のボール発射装置は、特定の種類のボール専用であった。したがって、既存のボール発射装置の構造を改善して、前記不備を解決するべきである。
【０００４】
本発明は、様々な種類のボールを上手く発射させることができるボール発射装置を提供することを主な目的とする。
【課題を解決するための手段】
【０００５】
本発明は、ボール発射部を備えるボール発射装置であって、前記ボール発射部は、ロッド本体と、前記ロッド本体を回転自在に支持するロッド軸と、ボールを保持するボール保持部と、前記ロッド軸を中心に前記ロッド本体を回転させるための力を付与するロッド力付与部と、を備え、前記ロッド本体は、前記ロッド軸に対して一方の側の第１ロッド部と、前記ロッド軸に対して他方の側の第２ロッド部と、を有し、前記ボール保持部は前記第１ロッド部の側に設けられており、前記ロッド力付与部は、前記第２ロッド部の側に力を付与し、これにより、前記第１ロッド部が前記ロッド軸を中心に回転して前記ボール保持部に保持されたボールが発射されるボール発射装置に関する。
【０００６】
前記第１ロッド部は、ボールの発射時に実質的に撓まなくてもよい。
【０００７】
前記ロッド力付与部より付与される力は、圧縮された力発生部材が反発して伸張する伸張力であってもよい。
【０００８】
前記力発生部材はコイルバネであってもよい。
【０００９】
本発明は、以下に示す構成を採用してもよい。
本発明は、ボール発射装置であって、
筐体と、前記筐体の内部に取り付けられるボール送り装置及びボール発射部と、を含み、
前記筐体は、ボール投入口を有し、
前記ボール送り装置は、前記ボール投入口の下方に配置され、下向きに反転することができる落球台と、前記落球台を反転させる第一プッシュロッド及び第二プッシュロッドと、を含み、前記第一プッシュロッドの上部は前記落球台に回転自在に接合され、前記第二プッシュロッドは前記筐体に回転自在に接合され、前記第二プッシュロッドの前部により押動部が形成され、前記第一プッシュロッドの下部は前記第二プッシュロッドの後部と回転自在に接合され、
前記ボール発射部が回転駆動源、クランク、弾き部品、及び弾性戻りアセンブリを含み、前記回転駆動源は前記筐体に取り付けられ、前記クランクは前記回転駆動源の軸に取り付けられ、前記弾き部品は、ロッド本体と、前記ロッド本体の上部に設置されるボール保持部と、前記ロッド本体の下側に設けられる押出部と、前記ロッド本体から内側に延伸するフック部と、を含み、前記ロッド本体は前記筐体に回転自在に接合され、前記ボール保持部は、前記落球台の前方に位置して離反可能に、前記押動部と接触し、前記クランクの前部は、スライド可能になっており、前記押出部は前記弾性戻りアセンブリに当接することを特徴とする、ボール発射装置。
【００１０】
本発明は、以下に示す構成を採用してもよい。
本発明のボール発射装置は、ボール籠と、筐体と、筐体内に取り付けられるボール送り装置及びボール発射部とを含む。
前記筐体にボール投入口が設置される。
前記ボール籠は筐体外部に取り付けられて、ボール投入口と繋がる。
前記ボール送り装置は、ボール投入口の下方に取り付けられる落球台であって、筐体の内壁に取り付けられて、下向きに反転することができる落球台と、落球台を反転させる第一プッシュロッド及び第二プッシュロッドとを含む。前記第一プッシュロッドの上端は落球台の下方にピン接合され、前記第二プッシュロッドの中間部は筐体の内壁にピン接合される。前記第二プッシュロッドの前端は上向きに折れ曲がり、反り返ることにより押動部が形成され、前記第一プッシュロッドの下端は第二プッシュロッドの後端とピン接合される。
前記ボール発射部は減速モータ、クランク、弾き部品、及び弾性戻りアセンブリを含む。前記減速モータは筐体の内壁に取り付けられ、前記クランクは減速モータ軸に取り付けられる。前記弾き部品は、ロッド本体と、ロッド本体の上端に設置されるボール保持部と、ロッド本体の下端に設置され、外側に反り返る押出柱と、内側に延伸するフック部とを含む。前記ロッド本体の中間部は筐体の内壁にピン接合され、前記ボール保持部は、前記落球台の前方に位置して、離反（分離）可能に押動部と接触する。前記フック部とロッド本体との間にスライド溝が形成され、前記クランクの前端はスライド可能に前記スライド溝中に位置する。前記弾性戻りアセンブリは弾性端を有し、前記押出柱は前記弾性端に当接する。
【００１１】
好ましい案として、前記弾性戻りアセンブリはスリーブ、スクリュー、つまみ、及びバネを含む。前記スリーブは筐体内側の頂部に垂直に固定されて、押出柱の上方に位置する。前記スクリューの上端は筐体外に延び、下端はスリーブ内に螺合される。前記つまみはスクリュー最上部に固定され、前記バネの上端はスクリューの下端と固定接続される。前記弾性端は前記バネの下端であり、前記押出柱が前記バネの下端に当接する。
【００１２】
好ましい案として、前記筐体内に、ボール発射装置に電力を供給する電源が設置される。
【００１３】
好ましい案として、前記クランクにローラが取り付けられ、前記ローラは前記スライド溝と接触する。
【００１４】
好ましい案として、前記筐体は左半筐体及び右半筐体を含み、前記左半筐体及び右半筐体は互いに結合する。
【００１５】
好ましい案として、前記左半筐体及び右半筐体内の側壁にバッフルプレートがそれぞれ取り付けられ、二枚のバッフルプレートは前記ボール投入口の下方に繋がり、ボールが転がるボール経路が形成される。
【００１６】
好ましい案として、前記筐体の両側に装飾プレートがそれぞれ設置される。
【００１７】
好ましい案として、前記ボール籠及び筐体の材質は、いずれも耐衝撃性ＰＰ材料である。
【００１８】
好ましい案として、前記ロッド本体の材質は、耐衝撃性ＡＢＳ材料である。
【００１９】
好ましい案として、前記電源が電池であり、ボール発射部の下方に位置する。
【発明の効果】
【００２０】
本発明は、既存技術と比較すると、明らかな利点及び有益な効果を有する。具体的には、以下である。
従来のボール発射装置は、特定の種類のボール専用であった。その主な理由は以下である。ボールの種類によって反発係数や重さが異なるが、ボール発射部の対応範囲が非常に狭く、特定のボールしか上手く発射させることができなかった。これに対して、本発明のボール発射装置においては、ロッド力付与部は、ロッド本体の第２ロッド部の側に力を付与し、これにより、ロッド本体の第１ロッド部がロッド軸を中心に回転してボール保持部に保持されたボールが発射される。そのため、反発係数や重さの影響をほとんど受けずに、ボールを発射させることができる。そのため、様々な種類のボールを上手く発射させることができる。
【００２１】
また、ボール発射装置のロッド本体を下に押えて、ボール送り装置の落球台を反転させることを利用して、自動ボール送りを実現し、それと同時に、弾性戻りアセンブリの戻り弾性により、ボール保持部を迅速に弾き、これにより、ボールを発射する。前記ボール発射装置は構造が簡単で、各パーツの組合せは釣り合いが取れており、自動ボール送り及び自動ボール発射の目的を達成し、人の労働量を減少させ、人的コストを節約し、練習者が極めて便利に練習できるようにする。
【００２２】
本発明の構造的特徴及び効果をより明確に述べるため、以下に図及び具体的な実施例を組み合わせて、本発明について詳細な説明を行う。
【図面の簡単な説明】
【００２３】
【図１】本発明のボール発射装置の組立立体概要図である。
【図２】本発明の左半筐体を開いた状態の概要図である。
【図３】本発明のボール発射装置の内部構造、及び右半筐体の正面概要図である。
【図４】図３の分解概要図である。
【図５】本発明のボール発射装置全体の分解概要図である。
【発明を実施するための形態】
【００２４】
図１から図５に示すように、本発明のボール発射装置は、ボール籠１０と、筐体２０と、筐体２０の内部に取り付けられるボール送り装置３０、ボール発射部４０と、電源５０と、を含む。
筐体２０は左半筐体２１及び右半筐体２２を含み、左半筐体２１及び右半筐体２２が互いに結合して、筐体２０にボール投入口２３が形成される。左半筐体２１及び右半筐体２２の内部の側壁にバッフルプレート２４がそれぞれ取り付けられ、二枚のバッフルプレート２４はボール投入口２３の下方に繋がる。これにより、ボールが転がるボール経路２５が形成される。筐体２０の両側に装飾プレート２６がそれぞれ設置される。
【００２５】
ボール籠１０は、筐体２０の外部に取り付けられて、ボール投入口２３と繋がる。ボール籠１０及び筐体２０の材質は、いずれも耐衝撃性ＰＰ材料である。
【００２６】
ボール送り装置３０は、ボール投入口２３の下方に取り付けられ、更に筐体２０の内壁に取り付けられる落球台３１であって、下向きに反転することができる落球台３１と、落球台３１を反転させる第一プッシュロッド３２及び第二プッシュロッド３３と、を含む。第一プッシュロッド３２の上端は落球台３１の下方にピン接合され、第二プッシュロッド３３の中間部は筐体２０の内壁にピン接合される。第二プッシュロッド３３の前端が上に折れ曲がり、反り返ることにより、押動部３３１が形成される。第一プッシュロッド３２の下端は第二プッシュロッド３３の後端とピン接合される。
【００２７】
ボール発射部４０は、減速モータ４１、クランク４２、弾き部品４３及び弾性戻りアセンブリ４４を含む。減速モータ４１は筐体２０の内壁に取り付けられ、クランク４２は減速モータ４１の軸に取り付けられ、クランク４２にローラ４２１が取り付けられる。弾き部品４３は、ロッド本体４３１と、ロッド本体４３１を回転自在に支持するロッド軸４３６と、ロッド本体４３１の上端に設置され且つボールＢＬを保持するボール保持部４３２と、ロッド本体４３１の下端に設置され、外側に反り返る押出柱４３３と、内側に延伸するフック部４３４と、を含む。ロッド本体４３１は、ロッド軸４３６に対して一方の側の第１ロッド部４３１Ａと、ロッド軸４３６に対して他方の側の第２ロッド部４３１Ｂと、を有する。ボール保持部４３２は第１ロッド部４３１Ａの側に設けられている。ロッド本体４３１の材質は耐衝撃性ＡＢＳ材料であり、その中間部は筐体２０の内壁にピン接合される。ボール保持部４３２は、落球台３１の前方に位置して、離反（分離）可能に押動部３３１と接触する。フック部４３４とロッド本体４３１との間に、スライド溝４３５が形成され、クランク４２のローラ４２１がスライド可能にスライド溝４３５の中に位置する。
【００２８】
ロッド力付与部としての弾性戻りアセンブリ４４は、ロッド軸４３６を中心にロッド本体４３１を回転させるための力を付与する。弾性戻りアセンブリ４４は、スリーブ４４１、スクリュー４４２、力発生部材としてのコイルバネ４４３及びつまみ４４４を含む。スリーブ４４１は、筐体２０の内側の頂部に垂直に固定されて、押出柱４３３の上方に位置する。スクリュー４４２の上端は筐体２０の外に延び、スクリュー４４２の下端はスリーブ４４１の内部に螺合される。コイルバネ４４３の上端はスクリュー４４２の下端と固定されて接続され、コイルバネ４４３の下端に弾性端が形成され、押出柱４３３はコイルバネ４４３の下端に当接する。つまみ４４４は、スクリュー４４２の頂部に固定され、スクリュー４４２を回転させることにより、コイルバネ４４３の予負荷を調整する。
【００２９】
電源５０は電池であり、ボール発射部４０の下方に位置する。
【００３０】
本ボール発射装置は、硬式野球ボール、軟式野球ボール（軟式Ａ号球、Ｂ号球、Ｃ号球）などの野球ボール、及びテニスボール（硬式テニスボール、軟式テニスボール）を発射することができ、ＰＵボール、ラバーエアボール、ＰＵテニスボールなどの直径が６５〜７３ｍｍのトレーニングボールも発射することができる。発射装置は、減速モータ４１を動力として用い、ロッド本体４３１を駆動してコイルバネ４４３を圧縮し、ボールを発射する。発射の弾力はつまみ４４４により調節することができ、使用するときに、使用者の需要に基づいて発射高度を調節することができる。野球ボールの発射高度は１．２〜１．６メートル、距離は１．５〜２．５メートルの間であり、テニスボールの発射高度は１．５〜２．５メートル、距離は２〜４メートルの間である。ボール発射装置は、６〜７秒ごとに順番にボールを発射する。この他、ボール発射装置にボール筒を設置して、野球ボールを６球入れることができる。本ボール発射装置は、使用者の需要に基づいてネットを組み合わせて使用することもできる。ボール発射装置をネット状のボールバッグと接続して使用するときに、ボールをネット状のバッグの中に打つと、ボールが自動的にボール発射装置に戻り、繰り返し使用できる。
【００３１】
本ボール発射装置の動作原理は次の通りである。ボールをボール籠１０に入れると、ボールは落球台３１まで転がる。減速モータ４１がクランク４２を回転させ、クランク４２のローラ４２１は、下向きに移動し、フック部４３４を下向きに傾斜させる。押出柱４３３はコイルバネ４４３を上向きに圧縮する。更に、フック部４３４が下に押えられるのに伴い、ボール保持部４３２はボール送り装置３０の押動部３３１と接触する。第二プッシュロッド３３が第一プッシュロッド３２を上向きに押し出し、第一プッシュロッド３２が落球台３１を下向きに反転させ、ボールは落球台３１からボール保持部４３２に転がる。このとき、クランク４２のローラ４２１は、減速モータ４１の軸の回転に伴い、次第にスライド溝４３５から外れ、フック部４３４の動きは、ローラ４２１に制限されず、コイルバネ４４３が元に戻る。コイルバネ４４３の弾性力により押出柱４３３が迅速に下向きに移動し、ボール保持部４３２は迅速に弾かれ、ボールが発射される。
【００３２】
つまり、ロッド力付与部としての弾性戻りアセンブリ４４により付与される力は、圧縮されたコイルバネ４４３が反発して伸張する伸張力である。ロッド力付与部としての弾性戻りアセンブリ４４は、第２ロッド部４３１Ｂの側のみに力を付与し、第１ロッド部４３１Ａは、ボールの発射時に実質的に撓まない。これにより、第１ロッド部４３１Ａがロッド軸４３６を中心に回転してボール保持部４３２に保持されたボールＢＬが発射される。
【００３３】
なお、使用者の需要に基づいて、つまみ４４４を調整することにより、コイルバネ４４３の予負荷を調節することができ、これによりボール発射の速度及び距離を制御することができる。
【００３４】
本発明の主な特徴は次の通りである。ボール発射装置のロッド本体を下に押えて、ボール送り装置の落球台を反転させることを利用して、自動ボール送りを実現し、それと同時に、弾性戻りアセンブリの戻り弾性により、ボール保持部を迅速に弾く。これにより、ボール発射装置はボールを発射する。ボール発射装置は構造が簡単で、各パーツの組合せは釣り合いが取れており、自動ボール送り及び自動ボール発射の目的を達成し、人の労働量を減少させ、人的コストを節約し、練習者が極めて便利に練習できるようにする。
【００３５】
以上の記載は、本発明の好ましい実施例に過ぎず、本発明の技術的範囲に対していかなる制限も行われない。したがって、本発明の技術の本質に基づいて、以上の実施例に対して行ういかなる僅かな修正、均等変化及び修飾も、本発明の技術的範囲内に属する。
【符号の説明】
【００３６】
１０：ボール籠
２０：筐体
２１：左半筐体
２２：右半筐体
２３：ボール投入口
２４：バッフルプレート
２５：ボール経路
２６：装飾プレート
３０：ボール送り装置
３１：落球台
３２：第一プッシュロッド
３３：第二プッシュロッド
３３１：押動部
４０：ボール発射部
４１：減速モータ（回転駆動源）
４２：クランク
４２１：ローラ
４３：弾き部品
４３１：ロッド本体
４３１Ａ  第１ロッド部
４３１Ｂ  第２ロッド部
４３２：ボール保持部
４３３：押出柱
４３４：フック部
４３５：スライド溝
４３６  ロッド軸
４４：弾性戻りアセンブリ（ロッド力付与部）
４４１：スリーブ
４４２：スクリュー
４４３：コイルバネ（力発生部材）
４４４：つまみ
５０：電源
ＢＬ  ボール
【図１】
2016221286.tif 000003
【図２】
2016221286.tif 000004
【図３】
2016221286.tif 000005
【図４】
2016221286.tif 000006
【図５】
2016221286.tif 000007